Podtech/llm-jp-corpus-v4-ja_patent huggingface dataset:
(57)【要約】      （修正有）【課題】電熱式加熱ヒーターを埋込んだ加熱台板にヒューズ端子を載置して、加熱することで良好になるヒューズ主要部の製造加熱装置を提供する。【解決手段】棒状の大容積金属導体を所要厚に切断し、これを一対とする端子１，２間に銀又は銅板を形抜きしてなるヒューズ素子３をはんだ接合して主要部とし、筒を被せた構造のヒューズの加熱装置である。一対の端子１，２を所定の間隔で保持し、かつ、端子面に施した複数の溝部１ａが確実に対向可能な寸法で取付ける。この溝部内に沿ってリボン形状に形抜きした銀又は銅板のヒューズ素子３をスライドさせたまま、あらかじめ端子面の外径寸法と同寸法もしくは少し大きく形取ったアルミニウム板からなり、この一部に一対の電熱式加熱ヒーター１０２と温度センサー１０３を埋込んだ加熱台板１０１を磁器のような耐熱性絶縁材の固定物１０４に取付け、加熱台板の加熱温度を最大５００°Ｃに設定できるようにした。【選択図】図３
0003185783.tif 000002
【実用新案登録請求の範囲】
【請求項１】
棒状の大容積金属導体を所要厚に切断しこれを一対とする端子間に銀又は銅板を形抜きしてなるヒューズ素子をはんだ接合して主要部とし、筒を被せた構造のヒューズの加熱装置において、一対の端子を所定の間隔で保持し、かつ、端子面に施した複数の溝部が確実に対向可能な寸法で取付け、さらにこの溝部内に沿ってリボン形状に形抜きした銀又は銅板のヒューズ素子をスライドさせたまま、あらかじめ前記端子面の外径寸法と同寸法もしくは少し大きく形取ったアルミニウム板からなり、この一部に一対の電熱加熱ヒーターと温度センサーを埋込んだ加熱台板を磁器のような耐熱性絶縁材の固定物に取付け、加熱台板の加熱温度を最大５００°Ｃに設定できるようにした加熱装置。
【考案の詳細な説明】
【技術分野】
【０００１】本考案は、比較的容積の大きい良導体（例えば、黄銅丸棒等）をヒューズの端子とし、左右二個の端子の間隙に打抜き板材のヒューズ素子をはんだ接合させたヒューズ主要部の加熱装置に関する。
【背景技術】
【０００２】従来より端子が比較的容積の大きい良導体金属を有し、その間隔にヒューズ素子を接合させたものは、図１のヒューズ主要部の分解斜視図に示すように、１の第一端子、２の第二端子、３のヒューズ素子をはんだ１００ではんだ付け接合し、これを耐熱性絶縁材の４の筒で外装ている構造のものがほとんどであり、前記のはんだ付けにおける主要部の加熱装置がネックとなっている現状である。【０００３】従来の当該ヒューズ主要部のはんだ付けの加熱装置は、図２に示すように一対のカーボン電極Ｃ１、Ｃ１を有する鋏形状の商品名サーモプライヤーと称する電気抵抗加熱器ＴＲを第一端子１及び第二端子２の外径に挟んで当接させ、これに電流を流しヒューズ素子３をそれぞれの端子溝１ａ、２ａに嵌合させてはんだ１００により接合する方式であった。
【考案の概要】
【考案が解決しようとする課題】
【０００４】しかしながら、この方式においては次のような問題があった。
▲１▼ヒューズ主要部をはんだ付けするカーボン電極を用いた加熱装置は、すでに技術革新等により製造中止となり、装置はもちろん、それに付随する部品類の入手が不可能となり、生産に支障をきたす懸念がある。
▲２▼最先端の装置としては電磁誘導加熱装置等があるが、価格が高価格で、実際の製品価格とのギャップがあり過ぎることから代替装置としては不適である。
▲３▼電気容量の大きいはんだ鏝を用いても加熱は可能であるが、端子の導体容積が大きいため、加熱時間がかかり過ぎること、作業効率が悪く、生産面でデメリットとなる。
従って、当該のヒューズ主要部をはんだ付けするために端子を効率良く加熱べく、一対の電気ヒーターを内蔵した導電金属板を用いた加熱装置により上述の問題を解決しようとするものである。
【課題を解決するための手段】
【０００５】本考案は以上の問題点に鑑みなされたものであり、一対の端子を所定の間隔を保持し、かつ、端子面に施した複数の溝部内に沿ってリボン形状に形抜きした銀又は銅板のヒューズ素子をスライドさせたまま、あらかじめ、前記端子面の外径寸法と同寸法もしくは少し大きく形取ったアルミニウム板からなり、この一部に電熱式加熱ヒーターと温度センサーを埋込んだ加熱台板を磁器のような耐熱性絶縁物に取付け、加熱台板の加熱温度を最大５００°Ｃとしたことを特徴とするヒューズ主要部の製造加熱装置の提供である。
【考案の効果】
【０００６】上述のように、本考案の加熱台板は端子部の端子面を少し大きめの外径凹部に密着して載置できることから、熱伝導が極めて良好ではんだを溶融させる時間が早い。
【図面の簡単な説明】
【０００７】
【図１】  当該ヒューズ主要部を示す斜視図
【図２】  従来の当該ヒューズ主要部のはんだ付け加熱状態の斜視図
【図３】  本考案の加熱装置の斜視図
【図４】  本考案の加熱装置を用いたはんだ付け状態の説明図
【考案を実施するための形態】
【０００８】加熱台板に使用する電熱ヒーターはニクロム線から構成されたコンパクト形で、十分な加熱温度が得られる。又、将来的側面から考えても電熱ヒーター自体当面、従来のカーボン電極方式のように製造中止等も起こり得ないことから安定性のある加熱装置として使用できる。
【実施例】
【０００９】以下、添付図面に従って一実施例を説明する。
図３は、本考案の加熱装置の斜視図であるが、１０１は厚さ２０ｍｍ、横幅８０ｍｍ、縦幅７０ｍｍの良導体金属からなる矩形のアルミニウムの加熱台板で、この加熱台板１０１の中央部には、ヒューズ端子面の外径寸法Ｄ  と同寸法もしくはこれより少し大きく形取った寸法の凹部Ｄを設け、これに連接するヒューズ端子厚が通過できる幅の切欠部Ｗ  をそれぞれ加工により設けてなる。又、前記切欠部Ｗ  の左右には矩形の縦幅方向に一対の１０２の電熱ヒーター及び１０３の温度センサーが埋込んだ状態で収納されている。
さらに、１０１の加熱台板は磁器等の耐熱性絶縁材からなる固定物に１０４のねじで取付けて不動としてある。
なお、前記の電源ヒーター及び温度センサーはコネクタケーブルにより電源コントローラに直結されている。（図示はしていない。）【００１０】本考案の１０１の加熱台板の中央部の凹部Ｄ１とはんだ付けするため、これに載置する第一及び第二のヒューズ端子の外径寸法Ｄ２ならびに前記凹部に連接する切欠部Ｗ１と前述のヒューズ端子厚Ｗ２及び加熱台板の載置厚Ｆ１とヒューズ端子面厚Ｆ２には設計上の必須条件がある。
すなわち、Ｄ１＞Ｄ２    Ｗ１＞Ｗ２  Ｆ２＜Ｆ１【００１１】図４は、本考案の加熱装置を用いたはんだ付け状態の説明図であり、この図においては、上述の設計上の条件は完全に満たされていることが明確であり、実際に製作して当該ヒューズ主要部のはんだ付けを実施した結果からも従来のカーボン電極以上の加熱装置として利便性を有するものである。
【符号の説明】
【００１２】    １  第一端子
２  第二端子
３  ヒューズ素子
４  筒
１００  はんだ
１０１  加熱台板
１０２  電熱ヒーター
１０３  温度センサー
１０４  固定物
１０５  ねじ
【図１】
0003185783.tif 000003
【図２】
0003185783.tif 000004
【図３】
0003185783.tif 000005
【図４】
0003185783.tif 000006
(57)【要約】      （修正有）【課題】婦人用ストッキングにおいて、足の指がストッキングから出て、足先のペディギュアを見せる事ができ、サンダル履きの時も指先のおしゃれ感を出せるつま先なしストッキングを提供する。【解決手段】ストッキングのつま先を覆う部分をなくし、足の指が１つの穴から５本出る様にしたことを特徴とする。【選択図】図１
0003185787.tif 000002
【実用新案登録請求の範囲】
【請求項１】
つま先部分を無くしたことを特徴とする、つま先なしストッキング。
【請求項２】
つま先の切り口に、滑り止めのシリコンを取り付けた請求項１記載のストッキング。
【考案の詳細な説明】
【技術分野】
【０００１】  この考案は、婦人用ストッキングの形状に関する。
【背景技術】
【０００２】  従来の婦人用ストッキングの形状は、図２に示すように、ストッキングはウエスト部分から足先まで１体となったものである。
【先行技術文献】
【特許文献】
【０００３】
【特許文献１】特開２００６−１３２０７０号公報
【特許文献２】特開２０１１−１８４８１１号公報
【考案の概要】
【考案が解決しようとする課題】
【０００４】  しかしながら、婦人用ストッキングは、足を美しく見せる為には必需品であり、靴の中も汚れない利点がある。しかし、つま先のないサンダルを履いた時、つま先からストッキングが見えるのは見苦しく、つま先部分が伝線しやすい。またファッションの一部としてペディギュア（足指のマニキュア）をしている女性にとっては、ストッキングで見えなくなってしまうからといって、ストッキングを着用しないのは抵抗がある。
そこで、この考案は、サンダルを履いた時に着用しても見苦しくなく、素足感覚のストッキングを提供することを課題とする。
【課題を解決するための手段】
【０００５】  以上の課題を解決するために、第一考案は、足の指が見える様に、つま先部分を切った事を特徴とするストッキングである。
【考案の効果】
【０００６】  第一考案によれば、足の指がストッキングから出ているので、足先のペディギュアを見せる事ができ、サンダル履きの時も指先のおしゃれ感を出せる。
また、つま先の切り口部分に滑り止めを設けたストッキングなのでずれない。
【図面の簡単な説明】
【０００７】
【図１】この考案の一実施形態を示した平面図である。
【図２】従来技術を示した平面図である。
【考案を実施するための形態】
【０００８】  この考案の一実施形態を、図１に示す。
ストッキングの本体１はナイロン製であり、このウエスト部分１から指先を切った２までは１対となっている。
２部分の切り口には、滑り止めのシリコンが取り付けられている
【実施形態の効果】
【０００９】  この実施形態によれば、２部分より足の指を出すことができるので、ペディギュアが見え、自分の好みに合わせて、２部分を移動させることができるので、素足感覚でストッキングを着用できる。またストッキングのつま先部分がないため、足の指が蒸れなくて涼しい履き心地である。
【符号の説明】
【００１０】１  ストッキングのウエスト部分            ２  ストッキングの切り口部分
３  ストッキングのつま先部分
【図１】
0003185787.tif 000003
【図２】
0003185787.tif 000004
(57)【要約】      （修正有）【課題】水上において最良の水力を得ることが出来る浮上水車発電機を提供する。【解決手段】羽根付き水車に浮き袋を取り付け、発電機のシャフトと羽根付き水車シャフトの間に動くパイプを取り付ける。水車の回転力はベルトで発電機に伝達する。【選択図】図１
0003185788.tif 000002
【実用新案登録請求の範囲】
【請求項１】
羽根付き水車シャフトの周囲に設けた浮き袋と、水車シャフトと発電機シャフトとの間に動くパイプを設け、水車シャフトの回転力をベルトで発電機に伝達する、水車式発電機。
【考案の詳細な説明】
【考案の概要】
【考案が解決しようとする課題】
【０００１】  水上においての浮上水車発電機である。【０００２】  羽根付き水車に浮き袋を取り付ける。
【考案の効果】
【０００３】  河川で増水、減水した時でも発電する事が出来る。
【考案を実施するための形態】
【０００４】  以下、本案の実施例について説明する、図１にもとずいて羽に浮き袋を取り付け、羽根付き水車と発電機をベルトで伝達する、羽根付きシャフトと発電機のシャフトとの間に動くパイプを設ける。
【図面の簡単な説明】
【０００６】
【図１】  発電機の側面図
【図２】  発電機の正面図
【符号の説明】
【０００７】    １  発電機    ２  浮き袋    ３  動くパイプ    ４  羽根付き水車
５  ベルト    ６  歯車
【図１】
0003185788.tif 000003
【図２】
0003185788.tif 000004
(57)【要約】      （修正有）【課題】河川、用水等の流水を動力源として効率よく、活用する水力発電用水車を提供する。【解決手段】回転軸１の両端にチェーンホイール２を取付たロータを上部と下部に配置して、それぞれ上、下のチェーンホイール同志をベルトチェーン３で連動して回るようにする。また、そのベルトチェーンにその両端で保持する構造の水受けバケット４を複数取付ける。【選択図】図１−Ａ
0003185786.tif 000002
【実用新案登録請求の範囲】
【請求項１】
回転軸（１）の両端に、チェーンホイール（２）を取付たロータを上と下に配して、それぞれ上、下のチェーンホイール同志をベルトチェーン（３）をかけて連動して回るようにして、そのベルトチェーン（３）に複数の水受バケット（４）を取付たロータリ水車の構造。
【考案の詳細な説明】
【技術分野】
【０００１】この考案は、河川、用水等の流水を動力として、効率よく活用するための手段として、流水の落差間における水の重量を応用した水車の構造に関するものである。
【背景技術】
【０００２】これは、主に発電機を作動させる為の動力源として開発を目指したもので、通常、水力発電では、落差で生じる水圧を利用して、水車をまわしているが、大きな段差を必要とするも、これ以上の開発は地形的に無理なるため、その後の開発は頭打ちとなっている。
【先行技術文献】
【特許文献】
【０００３】
【特許文献１】
【考案の概要】
【考案が解決しようとする課題】
【０００４】小水力発電を原点に、更に発展させて、中規模の水力発電を目指そうとするもので、現在未だ手つかずの状態にある河川、用水等を開発する本格的な発電設備の動力源となる事を期待したいと考えるものである。
【課題を解決するための手段】
【０００５】本考案の構造を簡単に説明すると、回転軸（１）の両端にチェーンホイール（２）を取付たロータを上部と下部に配置し、それぞれ上、下のチェーンホイール同志にベルトチェーン（３）を掛けて連動して回るようにする。そしてそのベルトチェーンに水受バケット（４）を複数取付たものである。
【考案の効果】
【０００６】この装置を滝となって流れ落ちる流水へ向わすと、水はたちまち水受バッケトの中へと流入し、その重みを受けてバケットは下へと押し下げられ、下降を始めます。すると、次にベルトチェーンに連動している次のバケットが流水を受け、水に満たされ下降します。そのようにして、次々と同じ動作が繰り返され、ロータは回転運動を続けます。下部まで下降したバケットは、下のロータにより、そこで反転するので、中に入っていた水は排出され、背面側では、バケットは雨除けの形で上昇し、上のロータによって反転するので雨受の形に戻ります。この落差間に重なったバケットに入った水の総重量が、このベルトチェーンにかかって、ロータを回転させている訳だから従来の水車では考えられない強いトルクが得られる訳です。それをロータから回転力として取出して発電機を作動させるものであります。
【図面の簡単な説明】
【０００７】
【図１−Ａ】本考案の側面から見た構成図である。
【図１−Ｂ】本考案の正面から見た構成図である。
【図２】本考案の構成部品の参考図である。
【考案を実施するための形態】
【０００８】以下、本考案を実施するための形態について説明する。滝となって流れ落ちる流水の落差間を利用するものであるため、その状況によって装置の高さ及び巾等を設定するものである。今この装置の構成を説明すると、回転軸（１）の両端にチェーンホイール（２）を取付たロータを上部と下部に配置し、それぞれ上、下のチェーンホイール同志にベルトチェーン（３）をかけて連動して回るようにする。そして、そのベルトチェーンにその両端において保持する構造の水受けバケット（４）を複数取付たものである。又、この装置を河川、用水等に設置する際は滝の直下に充分な空間を確保する事が望まれる。
【符号の説明】
【０００９】（１）回転軸
（２）チェーンホイール
（３）ベルトチェーン
（４）水受バケット
【図１−Ａ】
0003185786.tif 000003
【図１−Ｂ】
0003185786.tif 000004
【図２】
0003185786.tif 000005
(57)【要約】      （修正有）【課題】肌けにくく保温性に優れた掛布団を提供する。【解決手段】周辺を縫結した表地と裏地との間に、羽毛材或いは綿材等の収納材を充填した布袋状の各区画の集合体からなる布団本体を具備し、各区画が、概ね一方の一辺が概ね５２センチないし５４センチ（長辺）、他方の一辺が概ね２８センチないし３０センチ（短辺）という寸法による長方形の形状をしており、就寝時の布団本体における首元側から足元側までにおける各区画のそれぞれの長さが区画の長辺、右腕側から左腕側の各区画のそれぞれの長さが区画の短辺に、長辺と短辺からなる各区画が、短冊が並べられたような形で構成する。さらに、収納材が充填された各区画の厚み（高さ）が、通常の掛布団を構成する布袋よりも大きい、概ね６センチの厚み（高さ）として構成する。【選択図】図１
0003185781.tif 000002
【実用新案登録請求の範囲】
【請求項１】
羽毛材或いは綿材等の収納材を充填した布袋状の各区画の集合体からなり、各区画が、概ね一方の一辺が概ね５２センチないし５４センチ（長辺）、他方の一辺が概ね２８センチないし３０センチ（短辺）という寸法による長方形の形状をしており、就寝時の布団本体における首元側から足元側までにおける各区画のそれぞれの長さが区画の長辺、右腕側から左腕側の各区画のそれぞれの長さが区画の短辺に、長辺と短辺からなる各区画が、短冊が並べられたような形で構成されることを特徴とする掛布団
【請求項２】
請求項１記載の掛布団において、収納材が充填された各区画の厚み（高さ）が、通常の掛布団を構成する布袋よりも大きい、概ね６センチの厚み（高さ）として構成されることを特徴とする掛布団
【考案の詳細な説明】
【技術分野】
【０００１】  本考案は、羽毛材或いは綿材等の収納材を充填した掛布団に関し、保温性の向上を図り、かつ、就寝者の寝返り時においても身体を露出させにくい掛布団に関するものである。
【背景技術】
【０００２】  一般に、羽毛等を充填した掛布団は、四角形の布袋に羽毛材等を入れ、生地と羽毛材等をキルティング加工により縫い合わせて構成される。
【考案の概要】
【考案が解決しようとする課題】
【０００３】  しかしながら、このような掛布団は、就寝時に身体に掛けるときに身体との密着性は必ずしも良好ではなく、また軽量であることから、寝返り時に肌けてしまい、就寝時の保温という目的を果たさないことが多々ある。
【課題を解決するための手段】
【０００４】  本考案に係る掛布団は、周辺を縫結した表地と裏地との間に、羽毛材或いは綿材等の収納材を充填した布袋状の各区画の集合体からなる布団本体を具備し、各区画が、概ね一方の一辺が概ね５２センチないし５４センチ（長辺）、他方の一辺が概ね２８センチないし３０センチ（短辺）という寸法による長方形の形状をしており、就寝時の布団本体における首元側から足元側までにおける各区画のそれぞれの長さが区画の長辺、右腕側から左腕側の各区画のそれぞれの長さが区画の短辺に、長辺と短辺からなる各区画が、短冊が並べられたような形で構成され、さらに、収納材が充填された各区画の厚み（高さ）が、通常の掛布団を構成する布袋よりも大きい、概ね６センチの厚み（高さ）として構成することで、肌けにくさと保温性の高さを実現し、これにより上記課題を解決するものである。
【考案の効果】
【０００５】  請求項１記載の考案によれば、布団本体を構成する収納材を充填する各布袋が、就寝時の就寝者の身体の寝姿に沿って首元から足元にかけて細長い短冊状に並び、かつ、収納材を充填する布袋上の区画の厚みが通常の掛布団より厚いため、就寝者の身体への密着性が向上し、より暖かく就寝することができ、更に、寝返りの場合にも肌けにくいという顕著な効果を奏する掛布団を提供することができる。
【図面の簡単な説明】
【０００６】
【図１】本考案に係る掛布団の正面図である。
【図２】本考案に係る掛布団の収納材の断面である。
【図３】本考案に係る掛布団の就寝時における断面図である。
【考案を実施するための最良の形態】
【０００７】  図１に示すように、周辺を縫結した表地と裏地との間に、羽毛材或いは綿材等の収納材を充填した布袋状の各区画の集合体からなる布団本体において、各区画が短冊状に並んでいる。【０００８】  図２に示すように、羽毛材或いは綿材等の収納材を充填した布袋上の各区画の厚さが、通常の掛布団に比べて分厚く、断熱性を高めることによって保温性を高めている。【０００９】  図３に示すように、就寝時において、羽毛材或いは綿材等の収納材を充填した布袋状の各区画が、通常の掛布団に比べて、就寝者の身体の形状に沿い、よく巻き付き、身体との空間が狭く、肌けにくくなっている。【００１０】  上記形状による本考案の掛布団は、羽毛材或いは綿材等の収納材を充填した布袋状の各区画の就寝者の就寝時の体勢からみて幅である部分が通常の掛布団に比べて狭いために就寝者の身体によく密着し肌けにくく、かつ、布袋状の各区画の厚さが通常の掛布団に比べて厚いために、断熱性が高く、寝床内温度を通常の掛布団に比べて高い状態に保つことができる。
【符号の説明】
【００１１】  １  表地と裏地を縫結した縫い目
２  就寝者が就寝した体勢を頭頂部方向から見たもの
３  就寝者が就寝した体勢で掛布団との間に生じる隙間となる空間
【図１】
0003185781.tif 000003
【図２】
0003185781.tif 000004
【図３】
0003185781.tif 000005
(57)【要約】      （修正有）【課題】市販の後付けシェードやフランジを用いて、ローコストで効率的な放熱構造を備えたＬＥＤ電灯灯具を提供する。【解決手段】電源回路基板を内包し、その下部には底面にＬＥＤ素子３を設け外周面に雄ネジを有する高放熱素材からなる円柱を備えた筐体１および開口部分に雌ネジを有したグローブ２からなる一体型のＬＥＤ電灯灯具。市販のシェードやフランジを後付けする際は開口部分に雌ネジを有したグローブ２を一度外し、市販の後付けシェードやガラスシェードｃを取付けるためのフランジｄを当該電灯器具の下方向から筐体１の下部の円柱に通過させた後、グローブ２を締め直すことで安全かつ容易に、お気に入りの市販の後付けシェードやガラスシェードを着脱できる。これらの市販の後付けシェードを使用の際、いかなる場合でも電源回路基板を内包した半球形状の筐体１の上部は、シェードの外部に露出されるため熱籠りをおこさず、電源回路基板の寿命が格段に伸びる。【選択図】図３
0003185789.tif 000002
【実用新案登録請求の範囲】
【請求項１】
ＬＥＤを光源とした一体型の照明灯具において、高放熱素材からなる円柱の外周面に、市販の規格シェードやフランジの内径内の雄ネジを有しながらその円柱の底面にＬＥＤ素子を取付け、このヒートシンクとなる円柱の上面に電源回路基板を内包した筐体を一体不可分とした灯具であって、ＬＥＤ素子を拡散または導光させるグローブの開口部分に雌ネジを有した着脱可能な別部品で、規格になっている市販の後付けシェードやフランジをこのグローブが挟み込むことで付け替えることができ、同時にシェード上部に露出した電源回路基板を低温に保つこともできるＬＥＤ電灯器具。
【考案の詳細な説明】
【技術分野】
【０００１】この考案はＬＥＤを光源とした一体型の照明灯具に係り、電源回路基板の発熱を器具内に籠らせることなく、市販の後付けシェードやフランジを、光源側より通過させながら取付けられる構造に関する。
【背景技術】
【０００２】従来の吊り下げ型器具の場合、殆どがランプ交換を前提とした構造となっており、図４に示すように、シェードをネジ付きソケットに通過させた後ホルダーで締付け、最後にランプを取付けて使用するものであった。【０００３】この場合、電球形蛍光灯や電球形ＬＥＤを使用の際に、電源回路基板の上部をシェードに覆われるため、ランプ寿命を左右する熱籠りの問題があった。【０００４】また、図５に示すように、ランプ交換不要のＬＥＤ素子一体型の照明灯具では、ヒートシンク径等の規制から、光源側より市販の後付けシェードやフランジを照明灯具に通過させることができなかった。
【考案の概要】
【考案が解決しようとする課題】
【０００５】ランプ交換不要のＬＥＤ素子一体型の灯具には、設計時より専用シェードを備えて配光させることは従来から行われているが、規格になっている市販の後付けシェードやガラスシェードを取付けるためのフランジの付け替えはできなかった。
【課題を解決するための手段】
【０００６】この考案は、高放熱素材からなる円柱の外周面に、市販の規格シェードやフランジの内径内の雄ネジを有しながらその底面にＬＥＤ素子を取付け、このヒートシンクとなる円柱の上面に電源回路基板を内包した筐体を一体不可分とした灯具であって、ＬＥＤ素子を拡散または導光させるグローブの開口部分に雌ネジを有した着脱可能な別部品で、規格になっている市販の後付けシェードやフランジをこのグローブが挟み込むことで付け替えることができ、同時にシェード上部に露出した電源回路基板を低温に保つこともできる。
【考案の効果】
【０００７】お気に入りの市販の後付けシェードやガラスシェードを取付けるためのフランジの付け替えが可能になることはもとより、電源回路基板をシェードの上部に露出させることによりシンプルかつ安価な構造でありながら熱の籠りを解消させることで、電源回路基板の寿命が格段に伸びる。
【図面の簡単な説明】
【０００８】
【図１】当該電灯器具の一実施例を示す側面図である。
【図２】図１における透斜視図である。
【図３】当該電灯器具に別シェードを挟み込む組立側面図である。
【図４】従来例を示す組立断面図である。
【図５】従来例を示す組立断面図である。
【考案を実施するための形態】
【０００９】以下、図に示す実施例に基づきこの考案を記述する。なお、これによってこの考案が限定されるものではない。まず、図１〜２は本考案の構成上のポイントとなる電源回路基板を内包し、その下部には底面にＬＥＤ素子３を設け外周面に雄ネジを有する高放熱素材からなる円柱を備えた筐体１および開口部分に雌ネジを有したグローブ２を示したものである。これらの図の通り、当該電灯器具は一体不可分として、そのまま使用することもできる。
【００１０】次に図３に示すように、開口部分に雌ネジを有したグローブ２を一度外し、市販の後付けシェードａやガラスシェードｃを取付けるためのフランジｄを当該電灯器具の下方向から筐体１の下部の円柱に通過させた後、グローブ２を締め直すことで安全かつ容易に、お気に入りの市販の後付けシェードやガラスシェードを着脱できる。
【００１１】これらの市販の後付けシェードを使用の際、いかなる場合でも電源回路基板を内包した筐体１の上部は、シェードの外部に露出されるため熱籠りをおこさず、電源回路基板の寿命が格段に伸びる。
【００１２】なお、この実施例では、吊り下げ型ＬＥＤ電灯器具を例にして説明したが、照明器具の形態として同上の構成であれば、卓上型、床置き型、ブラケット等の照明灯具でもかまわない。
【符号の説明】
【００１３】  ａ  後付シェード
ｂ  専用シェード
ｃ  後付ガラスシェード
ｄ  後付フランジ
１  電源回路基板内蔵ＬＥＤ付筐体
２  ホルダー付グローブ
３  ＬＥＤ素子
【図１】
0003185789.tif 000003
【図２】
0003185789.tif 000004
【図３】
0003185789.tif 000005
【図４】
0003185789.tif 000006
【図５】
0003185789.tif 000007
(57)【要約】      （修正有）【課題】電磁ノイズを低減したうえでＬＥＤ基板等の他の回路基板との電気的ショートを防止し、更に、このＬＥＤ基板等の他の回路基板間に高耐圧絶縁性をもった構造の照明機器用電源装置を提供する。【解決手段】ＬＣフィルタ回路を設けた電源プリント回路基板１と、この電源プリント回路基板１を包囲する絶縁樹脂ケース２，４と、その絶縁樹脂ケース２，４の外側を包囲する金属箔３と、更にその金属箔３の外側に配置した絶縁樹脂ケースとから成る。【選択図】図１
0003185532.tif 000002
【実用新案登録請求の範囲】
【請求項１】
照明器具用ＡＣ−ＤＣ変換電源装置であって、電源プリント基板を絶縁樹脂ケースで包囲し、更にその絶縁樹脂ケースの外側を金属箔で包囲し、更に絶縁樹脂ケースで包囲した電源装置。
【考案の詳細な説明】
【技術分野】
【０００１】本考案は、電磁ノイズを低減した照明機器用電源装置の絶縁耐圧構造に関する。
【背景技術】
【０００２】従来は白熱電球のように交流電源を直接照明ランプに印加して点灯させていたが、現在はＬＥＤランプのように交流電源から直流電源に変換して発光素子や光源に印加するものが増えている。
【考案の概要】
【考案が解決しようとする課題】
【０００３】交流電源を直流電源に変換すると、多くの場合放射ノイズや伝導ノイズの電磁ノイズを発生し、この電磁ノイズによって他の機器を誤動作させたり、テレビやラジオに雑音が入ったり、心臓のペースメーカーに悪影響を与える可能性がある。そのため、この電磁ノイズは低いレベルに抑える必要がある。【０００４】近年、省エネの観点からＬＥＤ蛍光灯の需要が増えているが、特に直管蛍光灯型ＬＥＤランプについての日本国内で有効な電磁ノイズ規格は無い。そのため市場に流通しているＬＥＤランプには従来の照明機器と比べて非常に高いレベルの電磁ノイズを発生しているものが多く見受けられる。【０００５】このような電磁ノイズは、機械的構造や電気回路構成次第で低減することができる。電気回路的に電磁ノイズを低減する手法として、ＬＣフィルタ回路を設けることで低減できる。しかし低減効果が十分でない場合には、更なる低減手法として金属類でシールドする機械的構造も採用されている。【０００６】しかし、ＡＣ−ＤＣ電源装置内蔵のＬＥＤランプを例にとると。上記の構造の電源装置では、ＬＥＤ素子を実装したプリント回路基板等と電気的にショートする懸念があり、また、雷サージ等の高電圧が印加された際のアーク放電が発生する可能性がある。
【課題を解決するための手段】
【０００７】本考案は、ＬＣフィルタ回路をＡＣ−ＤＣ変換電源装置内に設けることで電磁ノイズを低減したうえで、この電源装置を絶縁樹脂ケースで包囲し、更にアルミテープ等の金属箔で覆い、その金属箔の外側に更に絶縁樹脂ケースを設けている。この手段により、電磁ノイズを低減したうえで電源装置とＬＥＤ基板等の他の回路との電気的ショートの懸念がなく、雷サージ等の高電圧が印加された際にもアーク放電を防止できる構造を実現している。
【考案の効果】
【０００８】本考案の実施形態によれば、電磁ノイズを低減したうえでＬＥＤ基板等の他の回路基板との電気的ショートを防止し、更に、このＬＥＤ基板等の他の回路基板間に高耐圧絶縁性をもった構造の照明機器用電源装置の実現を図っている。
【図面の簡単な説明】
【図１】本考案の第１の実施形態に係る絶縁樹脂ケースと金属箔の構成及び使用形態例を示した側面断面図である。
【図２】本考案の第２の実施形態に係る絶縁樹脂ケースと金属箔の構成及び使用形態例を示した側面断面図である。
【考案を実施するための形態】
【０００９】図１は本考案の第１の実施形態に係る絶縁樹脂ケースと金属箔の構成及び使用形態例を示した側面断面図である。電源プリント回路基板１をショート防止のため絶縁樹脂ケースａ２で包囲し、その樹脂ケースａ２の外側を金属箔３で包囲している。更にこの金属箔の外側にＬＥＤ回路基板等とのショート防止のために絶縁樹脂ケースｂ４を設けたことを特徴とする。
【００１０】図２は本考案の第２の実施形態に係る絶縁樹脂ケースと金属箔の構成及び使用形態例を示した側面断面図である。第２の実施形態は第１の実施形態の構造のものに対して、金属箔３と絶縁樹脂ケースａ２及び絶縁樹脂ケースｂ４に引き出し電線等用の開口部５を設けたことと、絶縁樹脂ケースｂ４の形状を小型化して必要な部分のみを覆った形状を特徴とする。
【００１１】図２のように、金属箔１１、絶縁樹脂ケース２及び４には電線等を引き出すための開口部５があってもよい。なお、この開口部５は２か所以上あってもよい。
【００１２】図１及び図２の構造の電源は、ＬＥＤランプ用だけでなく、ＥＬ素子を使ったランプやＣＣＦＬ光源にも使用できる。
【００１３】図１及び図２では金属箔で覆う使用例を示したが、金属製テープを貼り付けたり、金属をラミネート加工したり、金属製の箱状のもので覆ってもよい。
【００１４】図１及び図２では絶縁樹脂ケースを使用する例を示したが、絶縁樹脂封入やラミネート加工した構造でもよい。
【符号の説明】
【００１５】１  電源プリント回路基板
２  絶縁樹脂ケースａ
３  金属箔
４  絶縁樹脂ケースｂ
５  開口部
６ａ  実装部品１
６ｂ  実装部品２
【図１】
0003185532.tif 000003
【図２】
0003185532.tif 000004
(57)【要約】      （修正有）【課題】屋内及び野外での演舞等の実演時に使用する屋外対応型移動式電動回転演舞台を提供する。【解決手段】演舞台の上部に回転可能な天板１を装着し、演舞台下部内部に設置した電動動力ユニットにより演舞台天板を回転させ、同時に天板上部に足踏み式制御スイッチ４を設けたことを特徴とする。【選択図】図１
0003185536.tif 000002
【実用新案登録請求の範囲】
【請求項１】
演舞台の上部に回転可能な天板を装着し、演舞台下部内部に設置した電動動力ユニットにより演舞台天板を回転させ、同時に天板上部に足踏み式制御スイッチを設けた。
以上を特徴とする屋外対応型  移動式  電動回転演舞台。
【考案の詳細な説明】
【技術分野】
【０００１】  本考案は、屋内及び野外での演舞等の実演時に使用する屋外対応型移動式電動回転演舞台に関するものである。
【背景技術】
【０００２】  従来、演舞台が電動回転する設備は大型屋内施設等の劇場に限られ、野外小型の移動可能な演舞台は人力等で台ごと回転させるなどの方法で演舞台を回転していた、また、演奏道具（太鼓台）が回転する演舞道具も知られている（特許文献１）。
【特許文献１】  登録実用新案第３１８１４９３号
【考案の開示】
【考案が解決しようとする課題】
【０００３】  そのため次のような問題点があった。
［イ］      屋外演舞台の上での演奏者は単一の方向でしか演舞を実演できなかった。
［ロ］      屋内外演舞台が回転可能な場合でも多くの人手を要した。
［ハ］      演舞台が回転するタイミング等が演舞者、スタッフ間の意思疎通の関係上困難な場合があった。
［ニ］      演舞の正面に人気が集まり、背面又は横面等は人気がなく演舞台設置場所も限られる場合もあった。
【課題を解決するための手段】
【０００４】  演舞台の上部に回転可能な天板を装着し、演舞台下部内部に設置した電動動力ユニットにより演舞台天板を回転させ、同時に天板上部に足踏み式制御スイッチを設けた。
以上を特徴とする屋外対応型  移動式  電動回転演舞台である。
【考案の効果】
【０００５】演舞台天板が回転することにより、台そのものを回転する必要がなく演舞者が観客側を３６０度自由に見渡せるように演舞が可能になった、演舞を観覧する側もダイナミックな演舞を様様な角度から鑑賞できる機会が得られ屋外演舞の可能性の幅が広がった、また、演舞者自身が足踏み式スイッチで回転を自由にコントロール出来るので、演舞者の意図が演舞劇に反映することが出来る。
【考案を実施するための最良の形態】
【０００６】以下、本考案の実施の形態を説明する。
（イ）台座（５）の下部に台キャスター（６）を四隅に設置。
（ロ）台座（５）中央部に軸（１０）を設置し回りに天板キャスターレール（９）を設置。
（ハ）台座（５）左右の側面に移動用吊手（７）をそれぞれ設置。
（ニ）台座（５）内部にギヤ付き動力部分（８）を設置。
（ホ）天板（１）下部に天板キャスター（２）を円状に設置、内側に天板固定ギア（３）を設置。
（ヘ）天板（１）上部中央よりに操作スイッチ（４）を設置。
（ト）各部品を設置した天板部分と台座部分を軸（１０）を介して設置合体する。
本考案は以上のような構造でこれを使用するときは、天板（１）の上に演舞に必要な演奏道具等を乗せ、演舞者が操作スイッチ（４）を操作して使用しながら演舞をする。
【図面の簡単な説明】
【０００７】
【図１】  本考案の分解斜視図
【図２】  本考案の正面図
【図３】  本考案の使用状況を示す正面図
【符号の説明】
【０００８】    １    天板
２    天板キャスター
３    天板固定ギア
４    操作スイッチ
５    台座
６    台キャスター
７    移動用吊手
８    ギア付き動力部分
９    天板キャスターレール
１０  軸
１１  太鼓
１２  演舞者
【図１】
0003185536.tif 000003
【図２】
0003185536.tif 000004
【図３】
0003185536.tif 000005
(57)【要約】      （修正有）【課題】ケースの側面開口部から接続コードを取り出せるポーチタイプやクラッチタイプの充電器ケースを提供する。【解決手段】ケース面に、接続コードの出し入れが可能な取り出し口３を備え、更に接続コードの先端部分が隠せるカバーを設ける。接続コード取り出し口は、一辺５と対するもう一辺６が重なった状態で構成することで充電器ケース１内に、充電器２を収納し、接続コード４を取り出した時、接続コードの先端部分が一辺５に引っ掛かり、容易に充電器ケース内部に引っ込まなくなる。また、カバー内に接続コードの先端部分が収まるようにすれば、取り出した接続コードの先端部分が外部から見えなくなり、衝撃からも保護できる。【選択図】図２
0003185534.tif 000002
【実用新案登録請求の範囲】
【請求項１】
ケース面に、接続コードの出し入れが可能な接続コード取り出し口が備えられ、この接続コード取り出し口を構成する一辺が対するもう一辺と重なった状態で構成されていることを特徴とする充電器ケース。
【請求項２】
前記接続コード取り出し口から取り出された接続コードの先端部分が隠せるカバーをケース面に設けたことを特徴とする請求項１に記載の充電器ケース。
【考案の詳細な説明】
【技術分野】
【０００１】
本考案は、充電器ケースに関するものである。
【背景技術】
【０００２】
従来、スマートフォンをはじめとする携帯端末を使用する際、外出先でもバッテリーが不足すれば手軽にチャージできるポータブル充電器が利用されている。この充電行為は、接続コードによりスマートフォン本体に接続して行われる為、使用時までは、一般には別途バッグや洋服等のポケットにしまわれていることが多い。
【０００３】
そして、バッグの中で人知れず充電できるようソーラー携帯電話充電器をポシェットにとりつけたもの等が存在する。
【特許文献１】特開２００６−２９６１７６
【考案の開示】
【考案が解決しようとする課題】
【０００４】
しかし、常にバッグ内にいろんなものが収納されている状態で充電切れを起こしたとき、バッグ内での充電器への取付けには接続コードの絡まりや接続コードの先端を探すのに時間がかかり、実際には、充電器自体を取り出して使用する場合が多いものと考えられる。
【０００５】
また、充電器自体は実用性を重視している物が多く、お洒落なバックや洋服等から露骨に取り出して使用するよりも、充電器を収納しておけるポーチのようなものから接続コードや本体を出来るだけ隠してスマートにスマートフォンへの充電を済ませるものが望まれていた。
【０００６】
本考案は、上記問題を解決するため成されたもので、ポーチタイプやクラッチタイプのケースから接続コードを取り出せる充電器ケースを提供する。
【課題を解決するための手段】
【０００７】
ケース面に設けた接続コード取り出し口の一部を重ねた状態で構成し、接続コード取り出し口から出された接続コードの先端部分が隠せるカバーを設ける。
【考案の効果】
【０００８】
本考案によれば、ケースに入れることで、接続コードの絡まりや外部からの衝撃による破損を防止するだけでなく、お洒落なバックや洋服等から露骨に取り出して使用するよりも、接続コードや本体を出来るだけ隠してスマートに充電を済ませることができる。
【考案を実施するための最良の形態】
【０００９】
ケース面に、接続コードの出し入れが可能な接続コード取り出し口を備え、この接続コード取り出し口を構成する一辺が対する一辺と重なった状態で構成する。更に接続コード取り出し口から取り出された接続コードの先端部分を隠せるカバーを設けた充電器ケースとする。
【実施例１】
【００１０】
以下、図面を参照して本考案に係る充電器ケースの実施例を説明する。図１は、本考案に係る充電器ケースの使用状態図である。図２は、本考案に係る充電器ケースにおいて、充電器を収納した状態の内部を示す図である。図３は、本考案に係る充電器ケースにおいて、接続コード取り出し口から接続コードを取り出した状態の断面図である。図４は、本考案に係る充電器ケースにおいて、接続コード取り出し口から取り出した接続コードの先端部分を隠すためのカバーを設けた場合の使用状態図である。図５は、本考案に係る充電器ケースにおいて、接続コード取り出し口から取り出した接続コードの先端部分を隠すためのカバー内に先端部分が収納された状態の内部を示す図である。
【００１１】
まず、皮、人工皮革、布地等で充電器ケース１を形成する。
【００１２】
このとき、例えば、図１又は図２のように充電器ケース１の側面に、充電器収納口とは別に接続コード取り出し口３を斜めに形成する。
【００１３】
この接続コード取り出し口３は、一辺５と対するもう一辺６が重なった状態で構成され、取り出し口３にコードを通す前と後の状態を断面図で示すと図３のようになる。
【００１４】
このような構造とすることで、充電器ケース１内に、充電器２を収納し、接続コード４を接続コード取り出し口３から取り出した時、接続コードの先端部分８が一辺５に引っ掛かる為、容易に充電器ケース内部に引っ込まなくなる。
【００１５】
また、図４及び図５のように接続コード取り出し口３から出た接続コード先端部８を覆うカバー７を設け、このカバー内に接続コードの先端部分８が収まるようにする。
【００１６】
こうすることで取り出した接続コードの先端部分８がそのまま外部から見えない様に収納できかつ外部の衝撃からも保護できる。
【００１７】
このように、好ましい実施例を挙げて本考案を説明したが、本考案はその実施例に限定されるものではなく、本考案の要旨の範囲内で種々に組み合わせや改変できる。
【図面の簡単な説明】
【００１８】
【図１】本考案に係る充電器ケースの使用状態図である。
【図２】本考案に係る充電器ケースにおいて、充電器を収納した状態の内部を示す図である。
【図３】本考案に係る充電器ケースにおいて、接続コード取り出し口から接続コードを取り出した状態の断面図である。
【図４】本考案に係る充電器ケースにおいて、接続コード取り出し口から取り出した接続コードの先端部分を隠すためのカバーを設けた場合の使用状態図である。
【図５】本考案に係る充電器ケースにおいて、接続コード取り出し口から取り出した接続コードの先端部分を隠すためのカバー内に先端部分が収納された状態の内部を示す図である。
【符号の説明】
【００１９】
１  充電器ケース
２  充電器
３  接続コード取り出し口
４  接続コード
５  一辺
６  もう一辺
７  カバー
８  先端部分
【図１】
0003185534.tif 000003
【図２】
0003185534.tif 000004
【図３】
0003185534.tif 000005
【図４】
0003185534.tif 000006
【図５】
0003185534.tif 000007
【手続補正書】
【提出日】平成25年6月19日(2013.6.19)
【手続補正１】
【補正対象書類名】図面
【補正対象項目名】図１
【補正方法】変更
【補正の内容】
【図１】
0003185534.tif 000008
【手続補正２】
【補正対象書類名】図面
【補正対象項目名】図２
【補正方法】変更
【補正の内容】
【図２】
0003185534.tif 000009
【手続補正３】
【補正対象書類名】図面
【補正対象項目名】図４
【補正方法】変更
【補正の内容】
【図４】
0003185534.tif 000010
(57)【要約】      （修正有）【課題】液面位置に磁石を確実に配置でき、自然空冷でも十分な冷却が得られる熱磁気エンジンを提供する。【解決手段】磁石２を回転体４の近傍に磁石固定板３で支持体８に固定し、感音磁性材料１薄板複数枚を適度な間隔で並べて適度な支持板に装着して１ブロックとし、複数ブロックをチェーン７に取り付けて無限軌道を形成して磁場中を通し、無限軌道の両端に回転体４としてスプロケットを用いて保持して支持体８で垂直に支持し、回転体４に連結した回転軸５を具備したチェーン駆動の熱磁気エンジンである。浮き具を具備することで浮面浮上型式にすることもできる。【選択図】図１
0003185539.tif 000002
【実用新案登録請求の範囲】
【請求項１】
磁石を支持体に固定し、感温磁性材料を装着した無限軌道あるいは感温磁性材料で形成した無限軌道を磁場中を通し、無限軌道の両端を回転体で保持して支持体で垂直に支持し、回転を外部に伝達する回転軸を具備した熱磁気エンジン。
【請求項２】
熱磁気エンジンは、浮き具を具備したことを特徴とする請求項１記載の熱磁気エンジン。
【考案の詳細な説明】
【技術分野】
【０００１】  本考案は、温水あるいは冷水に浸して使用できる熱磁気エンジンに関するものである。
【背景技術】
【０００２】  従来、感温磁性材料の磁気特性を応用した熱磁気エンジンが発明されているが、一般的にディスク型と呼ばれ、感温磁性材料のロ−タ−が円筒あるいは円盤型であり、液面位置の磁石の配置がむずかしく、更に自然空冷では十分な冷却が得られないためファン等を用いて強制空冷をしていた。【０００３】
【特許文献１】特開平９−２６８９６８（熱磁気エンジン）の図１
【考案の開示】
【考案が解決しようとする課題】
【０００４】  本考案は、従来の課題を解決し、液面位置に磁石を確実に配置でき、自然空冷でも十分な冷却が得られる熱磁気エンジンを提供する目的からなされたものである。
【課題を解決するための手段】
【０００５】  上記の課題を解決する本考案は、以下の通りである。
磁石を支持体に固定し、感温磁性材料を装着した無限軌道あるいは感温磁性材料で形成した無限軌道を磁場中を通し、無限軌道の両端を回転体で保持して支持体で垂直に支持し、回転を外部に伝達する回転軸を具備した熱磁気エンジンを考案したものである。
更に、浮き具を付けて液面に浮かべて使用できる熱磁気エンジンを考案したものである。
【考案の効果】
【０００６】  本考案は、感温磁性材料を装着した軌道あるいは感温磁性材料で形成した軌道を無限軌道とし、無限軌道を垂直とすることで、液面位置に磁石を最適に配置することができ、自然空冷でも十分な冷却が得られる熱磁気エンジンができたものである。また、浮き具を付けたことで、液面に浮上する熱磁気エンジンを考案できたものである。【０００７】  現在、感温フェライトやＦｅ−Ｎｉ、Ｆｅ−Ｎｉ−Ｃｒ等の感温磁性材料が生産されており、近年更に磁気特性の優れたＭｎＡｓ、ＭｎＦｅ等の感温磁性材料が開発されているので、これらの素材を用いると１００度Ｃ以下の熱源で駆動する熱磁気エンジンを作ることができ、本考案の熱磁気エンジンはエネルギ−と環境保全上極めて有益なものである。
【考案を実施するための最良の形態】
【０００８】  以下、本考案の実施の形態について図をもって説明する。
図１は、本考案実施例の熱磁気エンジンの一部断面側面図で、磁石２を図中下側の回転体４の近傍に磁石固定板３で支持体８に固定し、感温磁性材料１薄板複数枚を適度な間隔で並べて適度な支持板に装着して１ブロックとし、複数ブロックをチェ−ン７に取り付けて無限軌道を形成して磁場中を通し、無限軌道の両端に回転体４としてスプロケットを用いて保持して支持体８で垂直に支持し、回転体４に連結した回転軸５を具備したチェ−ン駆動の熱磁気エンジンの実施例であり、図２はその正面図である。【０００９】  実施における感温磁性材料１は、穴をあけた形状、メッシュ形状、折り曲げ形状あるいは無数の感温磁性材料１片を装着したり様々な形状や形態があるが、本考案の最大の特徴は感温磁性材料１を用いて無限軌道を形成することである。【００１０】  本図は、キュリ−温度が４０度Ｃの感温磁性材料１を用い、６０度Ｃの液体１１に浸して２０度Ｃの大気中で自然冷却する熱磁気エンジンの実施例であり、磁石２に対する液面位置は、使用する感温磁性材料の磁気特性と液体１１の温度によって、エネルギ−の変換効率が異なるので、最適な位置で使用することが望ましい。【００１１】  本考案の熱磁気エンジンの最大の特徴は、数十度の温度差の熱エネルギ−で駆動できるので、液体１１を冷却源とし大気を加熱源とすることもできるし、大気の温度差や液体の温度差を利用することもできる。【００１２】  図３は、感温磁性材料１をベルト７に装着して無限軌道を形成した、本考案の熱磁気エンジンのベルト駆動の他の実施例である。【００１３】  図４は、浮き具１２を具備した液面浮上型式の熱磁気エンジンで、回転軸５の回転を外部に伝達して、発電機や送風機、ポンプ等の回転具１３を駆動する実施例である。
【図面の簡単な説明】
【００１４】
【図１】  本考案の熱磁気エンジンの一部断面側面図である。
【図２】  本考案の熱磁気エンジンの一部断面正面図である。
【図３】  本考案の熱磁気エンジンの他の実施例の側面図である。
【図４】  本考案の熱磁気エンジンの他の実施例の正面図である。
【符号の説明】
【００１５】  １…感温磁性材料
２…磁石
３…磁石固定板
４…回転体
５…回転軸
６…軸受
７…チェ−ンまたはベルト
８…支持体
９…断熱板
１０…容器
１１…液体
１２…浮き具
１３…回転具
【図１】
0003185539.tif 000003
【図２】
0003185539.tif 000004
【図３】
0003185539.tif 000005
【図４】
0003185539.tif 000006